(57)【要約】【課題】子供の急激な身長の増加に対応して、高さを調整できる椅子や机等の子供用家具において、現在の身長に適った最適な高さで家具が利用できるようにする。【解決手段】使用期間を所定の期間内に限定して、この期間内の身長の増加に対応する家具の高さの調整範囲を、身長の増加値に対して縮尺表示し、測定した身長と同じ数値で家具の高さが設定できるようにして、子供用家具をいつも最適な高さで利用できるようにした。【選択図】図２０
2013192923.tif 000002
【特許請求の範囲】
【請求項１】
机のテーブルもしくは椅子の座面を形成し高さ調整手段を備えた家具本体と、高さ調整手段を介して家具本体の高さを上下調整自在として家具本体に装着した脚部とで構成した子供用家具において、家具本体もしくは脚部に子供の利用開始年齢から利用終了年齢までの家具本体の最適高さの調整範囲でスケールを設け、スケールは利用開始年齢から利用終了年齢までの子供の身長の増加値を家具の高さの調整範囲値に縮尺して身長の数値と同じ表示で目盛りを付け、子供の身長の測定結果に基づいて高さ調整手段を操作して家具本体の高さを身長と同じ数値の目盛りに合わせて、子供の身長の増加に対応して家具の高さを最適な高さに設定できるようにしたことを特徴とする子供用家具。
【請求項２】
上記の高さ調整手段は、家具本体の下側に垂下して回転自在に設けた調整ボルトと、この調整ボルトに螺合したナットを備えた脚部とで構成し、調整ボルトを回転操作して脚部を上下移動し、身長に対応したスケールの目盛りに脚部の高さを合わせて、家具の高さを最適な高さに設定するようにしたことを特徴とする請求項１に記載の子供用家具。
【請求項３】
上記の高さ調整手段は、家具本体の下側に垂下固定した長ナットと、この長ナットに螺合したボルトを備えた脚部とで構成し、脚部を回転操作して上下移動し身長に対応したスケールの目盛りに脚部の高さを合わせて、家具の高さを最適な高さに設定するようにしたことを特徴とする請求項１に記載の子供用家具。
【請求項４】
上記の高さ調整手段は、ガススプリングとしてシリンダーもしくはピストンロッドを家具本体もしくは脚部に接続し、ガススプリングを操作して脚部を上下移動し、身長に対応したスケールの目盛りに脚部の高さを合わせて、家具の高さを最適な高さに設定するようにしたことを特徴とする請求項１に記載の子供用家具。
【請求項５】
上記の高さ調整手段は、家具本体に装着し調整ボルトを回転自在に枢支したケースと、脚部に固着し前記の調整ボルトに螺合するナットを備えた摺動案内板とで構成し、ケースと摺動案内板双方の摺動対向個所に上下方向摺動自在として嵌合する嵌合部を形成し、脚部が家具本体にガタ付き無く装着するようにしたことを特徴とする請求項１と請求項２に記載の子供用家具。
【請求項６】
上記の高さ調整手段は、家具本体に垂下固定したパイプと、このパイプ内に上下移動自在として嵌入し側面に係止凹部を間隔的に形成した脚部とで構成し、パイプの外周で脚部の係止凹部の対向個所には止ネジを螺着し、脚部の高さを可変するとともに止ネジの係止凹部への締め付けもしくは解除によって家具の高さを調整することを特徴とした請求項１に記載の子供用家具。
【請求項７】
上記の高さ調整手段は、家具本体の高さの調整範囲で脚部に形成した長穴と、この長穴を介して脚部と家具本体に挿通した固定螺子と、この固定螺子の挿通端に螺着するナットとで構成し、固定螺子もしくはナットの締付けもしく解除によって高さ調整後の家具本体と脚部の一体化を計るようにしたことを特徴とした請求項１に記載の子供用家具。
【発明の詳細な説明】
【技術分野】
【０００１】  本発明は、机や椅子などの子供用家具に関する。
【背景技術】
【０００２】  子供は特に幼児期に於いては身長の増加が著しいので、椅子や机等の家具類はサイズが合わなくなってすぐに使えなくなる。これらを解消するために、身長の増加に伴って椅子の座面や机のテーブルの高さを調整できる家具が提案されている。
【先行技術文献】
【特許文献】
【０００３】
【特許文献１】特開２００３−１６９７２６
【０００４】
【発明の概要】
【発明が解決しようとする課題】
【０００５】  解決しようとする課題は、上述の先行技術（特許文献１）では家具類のうち椅子を例示しているが、この椅子の座面の高さを調整するにあたり、座面と一体とした背もたれと該部に係合する脚部に間隔的に貫通部を設けて、この貫通部の位置を必要に応じて上下に移動してネジで固定することで高さの調整が行えるようにしている。【０００６】  然しながら上記の先行技術では、高さを調整するにあたり先ず使用者を椅子に座らせて適性な高さを確認し、ついで高さの設定後に再度確認をして未だ高さがあっていない場合は再度調整するような煩雑な手続きが必要であった。また、貫通部が接近していると強度上の不安があるので高さ調整の間隔も比較的大きく設定せざるを得ないため使用者にぴったり適った高さで設定ができなかった。さらには、高さ調整にあたりネジを外してから取り付け位置を変えて固定するものであり、また、これが家具の左右両側で行うこととなるので左右の調整高さを一致させる必要もあり面倒なものであった。【０００７】  また、机の高さ調整にあたっては、先ず使用者は上記の椅子の高さ調整後に椅子に腰掛けた状態で上記と同様にして確認と調整が行われるものであり、重ねて煩雑な作業を必要としていた。【０００８】  この発明は、上記の従来の欠点の解消を課題としている。即ち、子供の椅子や机等の家具類の高さの調整が簡単にできるようにすること、この調整間隔も間隔的ではなく連続して行えるようにして微妙な最適高さに設定できるようにすること、高さ調整に於いて家具の左右の高さが簡単に一致するようにすること、また、ネジ等の部品を外したりする必要の無い調整手段を提供することを目的としている。
【課題を解決するための手段】
【０００９】  本発明は、机のテーブルもしくは椅子の座面を形成し高さ調整手段を備えた家具本体と、高さ調整手段を介して家具本体の高さを上下調整自在として家具本体に装着した脚部とで構成した子供用家具において、家具本体もしくは脚部に子供の利用開始年齢から利用終了年齢までの家具本体の最適高さの調整範囲でスケールを設け、スケールは利用開始年齢から利用終了年齢までの子供の身長の増加値を家具の高さの調整範囲値に縮尺して身長の数値と同じ表示で目盛りを付け、子供の身長の測定結果に基づいて高さ調整手段を操作して家具本体の高さを身長と同じ数値の目盛りに合わせて、子供の身長の増加に対応して家具の高さを最適な高さに設定できるようにした。【００１０】  また、上記の高さ調整手段は、家具本体の下側に垂下して回転自在に設けた調整ボルトと、この調整ボルトに螺合したナットを備えた脚部とで構成し、調整ボルトを回転操作して脚部を上下移動し、身長に対応したスケールの目盛りに脚部の高さを合わせて、家具の高さを最適な高さに設定するようにした。【００１１】  また、上記の高さ調整手段は、家具本体の下側に垂下固定した長ナットと、この長ナットに螺合したボルトを備えた脚部とで構成し、脚部を回転操作して上下移動し身長に対応したスケールの目盛りに脚部の高さを合わせて、家具の高さを最適な高さに設定するようにした。【００１２】  また、上記の高さ調整手段は、ガススプリングとしてシリンダーもしくはピストンロッドを家具本体もしくは脚部に接続し、ガススプリングを操作して脚部を上下移動し、身長に対応したスケールの目盛りに脚部の高さを合わせて、家具の高さを最適な高さに設定するようにした。【００１３】  また、上記の高さ調整手段は、家具本体に装着し調整ボルトを回転自在に枢支したケースと、脚部に固着し前記の調整ボルトに螺合するナットを備えた摺動案内板とで構成し、ケースと摺動案内板双方の摺動対向個所に上下方向摺動自在として嵌合する嵌合部を形成し、脚部が家具本体にガタ付き無く装着するようにした。【００１４】  また、上記の高さ調整手段は、家具本体に垂下固定したパイプと、このパイプ内に上下移動自在として嵌入し側面に係止凹部を間隔的に形成した脚部とで構成し、パイプの外周で脚部の係止凹部の対向個所には止ネジを螺着し、脚部の高さを可変するとともに止ネジの係止凹部への締め付けもしくは解除によって家具の高さを調整するようにした。【００１５】  また、上記の高さ調整手段は、家具本体の高さの調整範囲で脚部に形成した長穴と、この長穴を介して脚部と家具本体に挿通した固定螺子と、この固定螺子の挿通端に螺着するナットとで構成し、固定螺子もしくはナットの締付けもしく解除によって高さ調整後の家具本体と脚部の一体化を計るようにした。
以上の解決手段によって上記の課題が解決される。
【発明の効果】
【００１６】  本発明は、上記のように構成したので、子供の身長の増加に対応した最適な高さに机や椅子の高さを簡易に設定でき、また、椅子や机等の子供用家具の高さを調整するにあたり、使用者を椅子に座らせて高さの確認及び調整を繰り返すような煩雑な作業の必要が無い。また机の高さ調整も椅子の高さの設定後でないと行えなかった不便は解消し、椅子と机を別々として最適な高さの設定ができる。【００１７】  また、高さ調整手段は、調整ボルトとナットの螺合構造、またはガススプリングを利用したので、家具類の高さ調整が間隔的ではなく連続して行え、必要とする最適な高さの設定ができる。【００１８】  また、高さ調整手段が前述の（特許文献１）に示したように間隔的に高さを設定する手段であっても、スケールの目盛りを同様に間隔的に設けることで、身長に対応した高さに設定することができる。【００１９】  また、家具の高さの調整にあたっては、家具の左右の脚部はスケールの目盛りの同じ数値で高さを設定することとなるので、調整後の左右の高さは一致してガタ付くことはない。【００２０】  また、高さ調整手段が、椅子の座面や机のテーブルを構成する家具本体と脚部とが相互に嵌合して摺動するようにしたので、高さ調整にあたり脚部が円滑に移動し調整後は家具本体より離間したりガタ付くことがない。【００２１】  また、高さ調整手段が、脚部に高さの調整範囲で長穴を設けてこの長穴に固定螺子を挿入して家具本体に締め付け固定するようにしたので、高さ調整にあたり脚部が円滑に移動し調整後は家具本体より離間したりガタ付くことがない。
【図面の簡単な説明】
【００２２】
【図１】この発明の幼児用家具のうち机の実施例を示す斜視図
【図２】図１の正面図
【図３】図１の３−３線に沿う縦断面図
【図４】同上、作用状態を示す縦断面図
【図５】図３の５−５線に沿う縦断面図
【図６】図３の６−６線に沿う断面図
【図７】図３の７−７線に沿う断面図
【図８】高さ調整手段の分解斜視図
【図９】図２の矢視Ａの断面図
【図１０】身長スケールを示す
【図１１】図１４の１１−１１線に沿う縦断面図
【図１２】図１１の矢視Ｂの断面図
【図１３】他の実施例を示す高さ調整手段の分解斜視図
【図１４】図１１の１４−１４線に沿う断面図
【図１５】図１１の１５−１５線に沿う断面図
【図１６】他の実施例を示す断面図
【図１７】椅子の斜視図
【図１８】同上、作用状態図
【図１９】同上、側面図
【図２０】図１８の２０−２０線に沿う縦断面図
【図２１】図２０の２１−２１線に沿う断面図
【図２２】図２０の２２−２２線に沿う断面図
【図２３】図２０の２３−２３線に沿う断面図
【図２４】椅子の他の実施例を示す側面図
【図２５】他の高さ調整手段の実施例を示す高さ調整手段の分解斜視図
【図２６】他の高さ調整手段の実施例を示す机の縦断面図
【図２７】他の高さ調整手段の実施例を示す机の縦断面図
【図２８】他の高さ調整手段の実施例を示す机の斜視図
【図２９】図２８の２９−２９線に沿う断面図
【図３０】他の実施例を示す机の斜視図
【図３１】図３０の縦断面図
【図３２】子供の所定の期間内の平均身長に対する、椅子及び机の高さを示す一覧表
【図３３】子供の身長に対応した机の高さの一例を示す、机の側面図
【図３４】子供の身長に対応した椅子の高さの一例を示す、椅子の側面図
【発明を実施するための形態】
【００２３】  この発明の子供用家具は幼児を含む子供を対象とし、椅子や机などの脚部をそなえた家具に関し、以下、図面に基づいて説明する。
【実施例１】
【００２４】  図１および図２で示した子供用家具は木製の机を示し、テーブル１と脚取り付け部２とで構成した家具本体３と、脚部４とで形成している。脚取り付け部２は図３で示したようにテーブル１の下面の左右にビス５で垂下固定している。この家具本体３の脚取り付け部２には高さ調整手段６が装着しこの高さ調整手段６に脚部４を取り付けている。【００２５】  高さ調整手段６は図８で示したように、左右両翼に取り付け部７を一体形成したケース８と、このケース８の長手方向の立ち上がり板９の軸穴１０、１１に先端部および頸部を回転自在で挿通した調整ボルト１２と、ケース８内に設けて調整ボルト１２に螺合し取り付け板１３に溶接等の手段で固着したナット１４と、ナット１４の固着箇所より一体で曲接した取り付け部１５にビス穴１６を設けた上記の取り付け板１３とで構成している。【００２６】  調整ボルト１２は図７に示したようにケース８内部でワッシャー１７を介して抜止めピン１８を貫通して脱落を防止している。このケース８は脚取り付け部２に装着するが、図５および図６で示したように脚取り付け部２に設けた切り欠き部１９にケース８を嵌め、取り付け部７を切り欠き部１９の両側に形成した凹部２０に配置し、取り付け穴２１を介してビス２２で脚取り付け部２に装着している。脚部４はこの脚取り付け部２の内側面に対向し、切り欠き部１９に連続して形成した窓２３よりビス２４でビス穴１６を介して取り付け板１３を固定して脚取り付け部２の内側面に摺動自在に係合している。上記の構成により高さ調整手段６は調整ボルト１２の頭部２５を回転することで、脚部４は脚取り付け部２に沿って図４に示したように上下方向に移動し、家具本体３のテーブル１の高さ、即ち家具の高さを調整することができる。【００２７】  図１０は身長計２６を示し、紙等の裏面に剥離紙を加工した長尺シートで簡易に製作することで、家庭の壁や柱等に貼って利用できる。この身長計２６の目盛り２７は、図では１才〜６才までの特に幼児期に属する範囲の子供の平均身長（最大値で１２０ｃｍ）の範囲で表示している。【００２８】  この発明の子供の家具は子供の身長の増加に応じてその高さを最適な高さに設定できるようにするものであるが、あまりに広い年齢の範囲を対象とすると家具としての構成上に問題があり、また、利用者の快適性が損なわれる恐れがある。実施例での上記の年齢の範囲は特別に限定するものでは無く、所謂身長の増加の著しい子供の年齢の範囲としている。身長計２６は測定時の日付欄２８や測定者の名前の欄２９を設けて後の記録として利用できるようにしている。【００２９】  図３２は上記で示した１才〜６才までの年齢ごとの平均身長と、この身長に対する椅子及び机の最適高さを示している。（机の高さは、脚部４の接地端からテーブル１の上面まで、椅子の場合は脚部４の接地端から座面までとしている）１才〜６才までの平均身長の増加分（７５ｃｍ〜１１５ｃｍ）は４０ｃｍであり、机の最適高さ（３４ｃｍ〜５０ｃｍ）での増加分は１６ｃｍであり、また椅子の最適高さ（１６ｃｍ〜２８ｃｍ）での増加分は１２ｃｍであり、夫々の増加分の数値は身長の増加分に対して椅子は３０％、机は４０％となっている。この机及び椅子の増加分の数値を身長の増加分に対して夫々の率で縮尺して、夫々の家具に高さ調整の基準として表示する。【００３０】  図９では、脚部４の脚取り付け部２との対向面に上記によって縮尺した寸法で目盛り３０をつけたスケール３１を表示している。このスケール３１では、テーブル１の高さが最も低い場合の３４ｃｍでは７５（身長の測定値では７５ｃｍ）の目盛り３０に脚取り付け部２の下端が一致し、また最も高い場合の５０ｃｍでは１１５（身長の測定値では１１５ｃｍ）の目盛り３０に脚取り付け部の下端が一致するように設定している。従って、この高さ調整手段６では机の高さを図３３で示したように３４ｃｍ〜５０ｃｍまでの最適な高さに設定することができる。上記では平均的な身長を規準として高さの調整範囲及び目盛りの設定を機能の説明のためにしているが、現実には設定値の範囲に余裕を持たせる必要があるため、図９では６０〜１２０までの目盛り３０を設けて、高さ調整手段６も余裕を持った範囲で調整できるようにしている。【００３１】  この高さの調整には、例えば子供の誕生日ごとなど一定の間隔で子供の身長を測定して、家具（実施例では机）のスケール３１のこの測定値と同じ目盛り３０（測定値が８０ｃｍの場合は目盛り３０の８０の位置に脚取り付け部の下端を合わせる）に合わせることで、机の高さをこの身長に対する最適高さに設定できる。上記の高さ調整を机の左右の高さ調整手段６に於いて同じようにして行うことで、机はガタ付きなく高さが設定できる。目盛り３０に脚部４の高さを合わせる基準として図９では脚取り付け部２の下端を基準とした例を示しているが、目盛り３０に対して設定位置がわかればいいものであり、椅子で例示した図２０のように脚取り付け部２側に付けたポイント３２を規準位置とするなど、または図２４で示したようにスケール３１の目盛り３０を脚部４の外側面３３に設けて、脚部４の外側、即ち家具の外側で簡単に確認できるようにする等表示手段は限定するものではない。
【実施例２】
【００３２】  図１１〜図１６は高さ調整手段６の他の実施例を示している。図１３で示したようにケース８は取り付け部７の外側に一体として嵌合凹部３４を形成し、長手方向の端部には調整ボルト１２が挿入する軸穴３５、３６を備えた枢支板３７、３８が止着し、枢支板３７、３８は夫々の取り付け部３９、４０をケース８内に挿入してケース８のネジ穴４１、４２にネジ４３で止着している。調整ボルト１２は前述の図８と同様にしてケース８内に回転自在に装着している。４４は脚部４に固着する摺動案内板を示し、ナット１４を固着した取り付け板１３を双方の止着穴４５、４６およびネジ４７によって止着し、外側部に図１４および図１５で示したように前記の嵌合凹部３４に嵌入する嵌合凸部４８を一体に形成し、嵌合凸部４８と嵌合凹部３４の相互で嵌合部を構成している。【００３３】  ケース８は前述と同様にして脚取り付け部２に装着し、摺動案内板４４は図１２で示したように一体に突出形成した補強部４９を脚部４の切り欠き部５０に配置して取り付け部５１の穴５２を介してビス５３によって脚部４に固着している。上記の構成において調整ボルト１２の頭部２５を回転すると摺動案内板４４とケース８は相互の嵌合部で摺動して脚４の位置を可変し家具の高さを調整できる。摺動案内板４４の嵌合凸部４８の摺動面に形成した突起５４は、摺動時の抵抗の軽減を計る。
【実施例３】
【００３４】  図１６は上記の嵌合部の他の実施例を示している。ケース８と摺動案内板４４の双方に形成した嵌合凸部４８と嵌合凹部３４で前述と同様に嵌合部を構成している。ケース８と摺動案内板４４の背部には張り出し板５５を一体に設けて脚部４と脚取り付け部２への装着が堅固になるようにしている。上記のケース８および摺動案内板４４はアルミ製などの押し出し材としている。
【実施例４】
【００３５】  図１７および図１８は子供用家具として木製の椅子を示し、座面５７と背もたれ５８とで家具本体３を構成している。この家具本体３には前述の机の場合と同様にして脚取り付け部２を固着するが、椅子の場合は高さの調整を比較的低い位置から行うため高さ調整手段６のケース８を座面５７の下側に接して装着することになり、脚取り付け部２はケース８の左右両側で分割した状態で座面に固着し、これに前述と同様にしてケース８を装着する。
高さ調整手段６は図２５で示したように、ケース８の立ち上がり板９の軸穴１０、１１に調整ボルト１２を挿入し突出端に、ネジ穴５９を形成したナット６０を螺着し、ネジ穴５９には止ネジ６１を螺着して脱落を防止している。調整ボルト１２に螺合するナット１４は取り付け板１３の収容部６２に入れて溶接等の手段で固着する。取り付け板１３は突出して固着した止ネジ６３を図２１に示したように脚部４の取り付け穴６４に挿通してナット６５で締め付けて固定している。ケース８の脚取り付け部２への装着に於いても図２２で示したようにネジ６６とナット６７で装着している。上記の構成に於いて、調整ボルト１２を回すと家具本体３の座面５７と背もたれ５８は上下移動して高さが調整できる。【００３６】  脚部４には高さ調整手段６の左右外側に長穴６８を設け、この長穴６８に脚取り付け部２の穴６９より固定螺子７０を挿入してナット７１で止着する。長穴６８は図２４で示したように家具の高さの調整範囲の長さで形成し、高さの調整後にナット７１を締め付けて脚部４がガタ付き無く脚取り付け部２に固定するようにしている。ナット７１は高さの調整に於いては少し緩めるだけで充分に可能であり外して行う必要はない。【００３７】  上述の子供用家具としての椅子は図２４で示したように、脚部４の側面にスケール３１を表示し、この目盛り３０の位置を合わせる場合はナット７１の中心を位置あわせの規準として行う。この椅子の場合は図３４で示したように座面５７の高さが最も低い１６ｃｍの場合では７５（身長の測定値では７５ｃｍ）の目盛り３０にナット７１の中心が一致し、また最も高い２８ｃｍの場合は１１５（身長の測定値では１１５ｃｍ）の目盛り３０にナット７１の中心が一致するように設定している。従って、この高さ調整手段６では椅子の座面５７の高さを１６ｃｍ〜２８ｃｍまでの最適な高さに設定することができる。上記では平均的な身長を規準として高さの調整範囲及び目盛りの設定を機能の説明のためにしているが、現実には設定値の範囲に余裕を持たせる必要があるため、図２４では６０〜１２０までの目盛り３０を設けて、高さ調整手段６も余裕を持った範囲で調整できるようにしている。
【実施例５】
【００３８】  図２６は高さ調整手段６の他の実施例を示し、テーブル１もしくは座面５７の下面に、ガススプリニグ７２のシリンダー７３を装置したパイプ７４を固定し、このパイプ７４を内包して摺動する脚部４にピストンロッド７５を接続してパイプ７４の操作穴７６を介して設けたレバー７７の操作で脚部４が上下に移動して高さを可変する。ガススプリング７２はロック機構付きとしてレバー７７の操作で脚部４は下降してレバー７７の解除で高さが固定する。パイプ７４の外周に前述と同様にしてスケール３１を設け、目盛り３０に脚部４の上端を合わせて高さの調整を行う。
【実施例６】
【００３９】  図２７は高さ調整手段６の他の実施例を示し、テーブル１もしくは座面５７の下面にパイプ７８を固定し、このパイプ７８内に係止凹部７９を間隔的に形成した脚部４を摺動自在に挿入して、パイプ７８の外周で係止凹部７９との対応箇所にネジ穴８０を介して止ネジ８１を設け、止ネジ８１の先端で係止凹部７９を締め付けて脚部４を固定し、解除して高さの調整を行う。この脚部４の外周にはスケール３１の目盛り３０を設けて、脚取り付け部２の下端を設定の基準として高さの調整を行う。この目盛り３０は係止凹部７９の間隔と同一に間隔的に設けられる。
【実施例７】
【００４０】  図２８〜３１は高さ調整手段６の他の実施例を示し、テーブル１もしくは座面５７（図ではテーブルを例示している）の下面に、ボルト８３が螺合した長ナット８２を固定する。脚部４は有底の筒形状で、ボルト８３の径大な頭部８４を底部の収容穴８５に入れて長ナット８２を摺動自在に収容している。収容穴８５よりレンチによってボルト８３を回転すると脚部４は上下移動して高さを調整することができる。長ナット８２の外周にスケール３１の目盛り３０を設けて脚部４の上端を設定の基準として高さの調整を行う。この長ナット８２および脚部４はテーブル１の下面に図２８で示したように４個設置するか、もしくは脚部４の下端に台８６を一体に設けて１個とすることができる。上述の子供の家具としての机や椅子は、その材質を木製に限定するものではなく、スチール製などであっても同様に利用できる。
【符号の説明】
【００４１】      １・・・テーブル
２・・・脚取り付け部
３・・・家具本体
４・・・脚部
６・・・高さ調整手段
８・・・ケース
１２・・・調整ボルト
１３・・・取り付け板
１４・・・ナット
３０・・・目盛り
３１・・・スケール
４４・・・摺動案内板
５７・・・座面
６８・・・長穴
７０・・・固定螺子
７１・・・ナット
７２・・・ガススプリング
７３・・・シリンダー
７５・・・ピストンロッド
７８・・・パイプ
７９・・・係止凹部
８１・・・止ネジ
８２・・・長ナット
８３・・・ボルト
【図１】
2013192923.tif 000003
【図２】
2013192923.tif 000004
【図３】
2013192923.tif 000005
【図４】
2013192923.tif 000006
【図５】
2013192923.tif 000007
【図６】
2013192923.tif 000008
【図７】
2013192923.tif 000009
【図８】
2013192923.tif 000010
【図９】
2013192923.tif 000011
【図１０】
2013192923.tif 000012
【図１１】
2013192923.tif 000013
【図１２】
2013192923.tif 000014
【図１３】
2013192923.tif 000015
【図１４】
2013192923.tif 000016
【図１５】
2013192923.tif 000017
【図１６】
2013192923.tif 000018
【図１７】
2013192923.tif 000019
【図１８】
2013192923.tif 000020
【図１９】
2013192923.tif 000021
【図２０】
2013192923.tif 000022
【図２１】
2013192923.tif 000023
【図２２】
2013192923.tif 000024
【図２３】
2013192923.tif 000025
【図２４】
2013192923.tif 000026
【図２５】
2013192923.tif 000027
【図２６】
2013192923.tif 000028
【図２７】
2013192923.tif 000029
【図２８】
2013192923.tif 000030
【図２９】
2013192923.tif 000031
【図３０】
2013192923.tif 000032
【図３１】
2013192923.tif 000033
【図３２】
2013192923.tif 000034
【図３３】
2013192923.tif 000035
【図３４】
2013192923.tif 000036